(57)【要約】少なくとも１つの組立コンクリート部分を含む伸縮式タワー（１００）の組立方法であって、部分（２，４，６，８，１０）を、重ね合わせ部分がベース部分（１０）内に同軸で配置されている初期位置に設けるステップと、組立手段（１４，１６，１８）を設けるステップと、オペレータ支持手段（２０）を、前記ベース部分（１０）の上縁部と本質的に垂直方向で一致させて、前記ベース部分（１０）の外表面に設けるステップと、初期位置にある部分のうち径方向で最も内側の重ね合わせ部分（２，４，６，８）を持ち上げて、接合部を、持ち上げられている前記重ね合わせ部分（２，４，６，８）の下端部と径方向外側で直に隣接した部分（４，６，８，１０）の上端部との間に形成するステップと、互いに対応する部分（２，４，６，８，１０）を少なくとも一時的に固定するための固定装置を、前記接合部に設けるステップと、を含んでいる。
2015500931.tif 000002
【特許請求の範囲】
【請求項１】
ベース部分（１０）と複数の重ね合わせ部分（２，４，６，８）とを備え、前記ベース部分（１０）の直径が前記重ね合わせ部分（２，４，６，８）の直径よりも大きい、少なくとも１つの組立コンクリート部分を含む伸縮式タワー（１００）の組立方法であって、
ａ）前記部分（２，４，６，８，１０）を、前記ベース部分（１０）が組立面（２００）上に置かれて垂直に配置されており、且つ、前記重ね合わせ部分（２，４，６，８）が前記ベース部分（１０）内に同軸で配置されている、初期位置に設けるステップと、
ｂ）前記重ね合わせ部分（２，４，６，８）を選択的に持ち上げることが可能な組立手段（１４，１８，１８）を設けるステップと、
ｃ）オペレータ支持手段（２０）を、前記ベース部分（１０）の上縁部と本質的に垂直方向で一致させて、前記ベース部分（１０）の外表面に設けるステップと、
ｄ）前記初期位置にある部分のうち径方向で最も内側の重ね合わせ部分（２，４，６，８）を、持ち上げられている前記重ね合わせ部分（２，４，６，８）の下端部が、持ち上げられている前記部分（２，４，６，８）に関して径方向外側で直に隣接した部分（４，６，８，１０）の上端部と本質的に垂直方向で一致させて位置されている組立位置に、前記組立手段（１４，１６，１８）によって持ち上げて、このように持ち上げられている前記重ね合わせ部分（２，４，６，８）の下端部と、持ち上げられている前記部分（２，４，６，８）に関して径方向外側で直に隣接した部分（４，６，８，１０）の上端部と、の間に接合部を形成し、それによって、前記接合部が、前記オペレータ支持手段（２０）と本質的に垂直方向で一致させて位置するステップと、
ｅ）互いに対応する部分（２，４，６，８，１０）を前記オペレータ支持手段（２０）に収容されているオペレータによって少なくとも一時的に固定するための固定装置を、前記接合部に設けるステップと、
ｆ）ステップｄ）及びｅ）を少なくとも一度繰り返すステップと、を含んでいる伸縮式タワーの組立方法。
【請求項２】
前記方法は、逆に実行される、
請求項１に記載の伸縮式タワー（１００）の組立方法。
【請求項３】
前記組立手段は、外部クレーンを備えており、又はセルフクライミング（self-climbing）組立手段を備えており、又はその組合せを備えている、
請求項１又は２に記載の伸縮式タワー（１００）の組立方法。
【請求項４】
前記セルフクライミング組立手段は、他の部分（４，６，８，１０）にもたれながら部分（２，４，６，８）を持ち上げるケーブル及びジャッキのセット、又は前記部分を上方に押し上げる液圧式ジャッキ、又は前記部分を上方に押し上げるラックアンドピニオンセット、又はその組合せを備えている、
請求項３に記載の伸縮式タワー（１００）の組立方法。
【請求項５】
前記セルフクライミング組立手段は、各重ね合わせ部分（２，４，６，８）に関して、
前記重ね合わせ部分（２，４，６，８）のそれぞれの下端部と、径方向外側で直に隣接した部分（４，６，８，１０）の上端部と、を接続する少なくとも２つのケーブル（１６）と、
前記ケーブル（１６）のそれぞれを、各下端部に固定する制限手段（１８）と、
各ケーブル（１６）及び順にこの各下端部を上方へ持ち上げるための牽引手段（１４）と、を含んでいる、
請求項３に記載の伸縮式タワー（１００）の組立方法。
【請求項６】
前記制限手段は、少なくとも１つのウエッジ及びストッププレートセット（１８）を含んでおり、及び／又は、
前記牽引手段は、少なくとも１つのジャッキ（１４）を含んでいる、
請求項５に記載の伸縮式タワー（１００）の組立方法。
【請求項７】
前記伸縮式タワー（１００）は、所定の軌跡に沿って持ち上げられている部分（２，４，６，８）を案内するための案内手段（２２，２４，２６）を備えている、
請求項１〜６のいずれか１つに記載の伸縮式タワー（１００）の組立方法。
【請求項８】
前記案内手段は、
前記ベース部分（１０）の上縁部を超えて上方へ延びるように、前記ベース部分（１０）の外表面に下部で固定された少なくとも１つの固定部材（２２）と、
前記ベース部分（１０）の上縁部の上方の位置に前記固定部材（２２）から出現する少なくとも１つの緊張部材（２４）と、
前記緊張部材（２４）の自由端に配置された少なくとも１つの変位要素（２６）と、を含んでおり、
前記緊張部材（２４）は、持ち上げられている重ね合わせ部分（２，４，６，８）に前記変位要素（２６）を押し付けるように配置されている、
請求項７に記載の伸縮式タワー（１００）の組立方法。
【請求項９】
前記固定部材は、格子梁（２２）であり、及び／又は、
前記緊張部材は、ロッド（２４）であり、及び／又は、
前記変位部材は、ホイール（２６）である、
請求項８に記載の伸縮式タワー（１００）の組立方法。
【請求項１０】
前記ロッド（２４）は、調整可能な長さからなる、
請求行６又は７に記載の伸縮式タワー（１００）の組立方法。
【発明の詳細な説明】
【技術分野】
【０００１】
本発明は、伸縮式タワーの組立方法、特に、少なくとも１つの組立コンクリート部分を含む伸縮式タワー、例えば、風力タービンを支持するように設計された組立コンクリート部分から成る伸縮式タワーの組立方法に関する。
【０００２】
そのため、本発明の出願の主要分野は、特に風力における再生可能エネルギー産業又はグリーンエネルギー産業と共同した、特にコンクリートに関する建設業である。
【背景技術】
【０００３】
風力タービンをかなりの高さで支持する目的で、少なくとも１つの組立部分を含む少なくとも２つの部分から形成されたタワーの利用が知られている。また、前記部分を、テーパ状又は切頂の円錐状円筒形部分を形成するタイル又はセグメントの形態の要素から概して成っているモジュール式とすることができることも知られている。タワーの全高は、可能性のあるどのような組合せでも、異なるその部分の間で割り振られ、すなわち、全ての部分は、同じ高さを有することができ、いくつかの部分は、同じ高さを有してもよく、全ての部分は、互いに異なる高さを有してもよい等である。
【０００４】
最近、必要に応じてセグメントによって形成された、異なる直径の少なくとも２つの同軸部分から形成された伸縮式タワーが知られるようになってきた。
【０００５】
それにもかかわらず、最近導入されたそれらの伸縮式タワーに関して周知の組立方法は、依然として全体的に最適化されてはいない。
【先行技術文献】
【特許文献】
【０００６】
【特許文献１】国際公開第２０１１／００６５２６Ａ１号
【発明の概要】
【発明が解決しようとする課題】
【０００７】
例えば、文献ＷＯ２０１１／００６５２６Ａ１は、一方に、各部分の上縁部を、径方向内側で直に隣接した部分の下縁部に接続する、ケーブル又はテンドンを配置し、他方に、組立位置の外側部分の上縁部にもたれるように前記ケーブル又はテンドンで作用する牽引手段を配置し、折畳み位置において、内側部分の下縁部から引っ張り、それによって、全ての部分の持ち上げが完了するまで、前記内側部分をその組立位置まで持ち上げて、それにより、ケーブル等々に相互に接続された内側部分の配列を持ち上げることを、開示している。また、この特許文献は、そのタワーの組立が進むにつれて、徐々に上昇する、タワーの内側へのオペレータ支持プラットホームの配置を必要とする。
【０００８】
持ち上げ動作が実行される度に、前記接合部に、対応する部分を互いに固定する固定装置を配置するために、オペレータは、外側部分の上端部と、内側部分の下端部との間の接合部の高さで作業しなければならない。この方法は、前記オペレータ及び前記オペレータを収容するようにデザインされた手段の位置における、漸進的上昇を強制し、それは、タワーの組立に関連した動作の数を増大させる可能性があり、また、組立時間を長引かせる可能性があることに留意する。さらに、タワーの内側へのプラットホームの配置は、懸架貨物の下のオペレータの存在を禁止している安全規則に抵触する可能性がある。
【０００９】
本願明細書においては以後、単純化するために、その記述において、前記タイプのテーパ状又は切頂形の円錐状円筒形部分から成るタワーについて説明するが、タワーを、楕円形又は多角形の平面又は他の何らかの適当な形態の部分で構成することもできることは理解されるであろう。また、本願明細書においては以後、単純化するために、１つの部分の位置が、その回転軸の位置によって画定されること、すなわち、回転軸が垂直位置にある場合、部分は垂直位置にあり、回転軸が水平位置にある場合は、部分は水平位置にあること等は当然理解されるであろう。
【００１０】
したがって、本発明の目的は、伸縮式タワーの組立方法、特に、少なくとも１つの組立コンクリート部分を含む伸縮式タワー、例えば、風力タービンを支持するように設計された組立コンクリート部分から成る伸縮式タワーの組立方法を提供することである。
【課題を解決するための手段】
【００１１】
より具体的には、本発明は、ベース部分と複数の重ね合わせ部分とを備え、前記ベース部分の直径が、前記重ね合わせ部分の直径よりも大きい、少なくとも１つの組立コンクリート部分を含む伸縮式タワーの組立方法を提案し、組立方法は、
ａ）前記部分を、前記ベース部分が組立面上に置かれて垂直方向に配置されており、且つ、前記重ね合わせ部分が前記ベース部分内で同軸に配置されている、初期位置に設けるステップと、
ｂ）前記重ね合わせ部分を選択的に持ち上げることが可能な組立手段を設けるステップと、
ｃ）オペレータ支持手段を、前記ベース部分の上縁部と本質的に垂直方向で一致させて、前記ベース部分の外表面に設けるステップと、
ｄ）初期位置にある部分のうち径方向で最も内側の重ね合わせ部分を、持ち上げられている前記重ね合わせ部分の下端部が、持ち上げられている前記部分に関して、径方向外側で直に隣接した部分の上端部と本質的に垂直方向で一致させて位置されている組立位置に、前記組立手段によって持ち上げて、このように持ち上げられている前記重ね合わせ部分の下端部と、持ち上げられている前記部分に関して径方向外側で直に隣接した部分の上端部と、の間に接合部を形成し、それによって、前記接合部が、前記オペレータ支持手段と本質的に垂直方向で一致させて位置するステップと、
ｅ）互いに対応する部分を前記オペレータ支持手段に収容されているオペレータによって少なくとも一時的に固定するための固定装置を、前記接合部に設けるステップと、
ｆ）ステップｄ）及びｅ）を少なくとも一度繰り返すステップと、を含んでいる。
【００１２】
本発明に係る伸縮式タワーの組立方法を、前記伸縮式タワーを解体するために、（すなわち、このステップに記載されているものと反対の動作を実行すると共に、本質的に逆の順序で実行しながら）逆に実行できる。
【００１３】
理解されるように、本発明に係る組立方法は、所定の高さにおいて、組立方法の点で、オペレータ支持手段の配置を必要とし、及びタワー組立方法の残余の間に、前記オペレータ支持手段を同じ高さに維持することを可能にしている。さらに、オペレータ支持手段は、ベース部分の外側に配置されており、そのことが、懸架貨物の下のオペレータの存在を禁止している安全法規の順守を容易にする。
【００１４】
本発明に係る方法は、例えば、従来の移動式外部クレーンのような何らかの組立手段を用いることによって実行できる。それにもかかわらず、「セルフクライミング（self-climbing）」と称される、すなわち、タワー内に設置されている、他の部分にもたれつつ部分を持ち上げるケーブル及びジャッキのセット、部分を上方へ押し上げる液圧式ジャッキ、部分を上方へ押し上げるラックアンドピニオンセット等の組立手段を用いることが好ましい。組立手段は、（例えば、部分を初期位置に配置するのに使用されてきた）従来の移動式外部クレーンによって第１の部分が持ち上げられ、セルフクライミング装置を用いて残余の部分を持ち上げるように、種々のタイプの装置をさらに備えてもよい。
【００１５】
本発明に係る方法は、持ち上げられている部分を所定の軌道に沿って案内する案内手段を含んでもよく、前記案内手段は、前記ベース部分の上縁部を越えて上方へ伸びるように、前記ベース部分の外表面に下部で固定された、少なくとも１つの固定部材と、前記ベース部分の上縁部の上方の位置に前記固定部材から出現する少なくとも１つの緊張部材と、前記緊張部材の自由端に配置された少なくとも１つの変位要素とをさらに含んでもよく、前記緊張部材は、持ち上げられている重ね合わせ部分に前記変位要素を押し付け、且つ、所望の軌道にわたって当の部分を案内するように配置されている。例えば、前記緊張部材は、本発明に係る方法の間の位置と同じ位置に前記固定部材を維持しながら、異なる直径の部分の案内を可能にするように、調節可能な長さから成っていてもよい。
【図面の簡単な説明】
【００１６】
【図１Ａ】本発明に係る方法の第１の実施形態の異なる段階を示す、伸縮式タワーの概略正面図を示している。
【図１Ｂ】本発明に係る方法の第１の実施形態の異なる段階を示す、伸縮式タワーの概略正面図を示している。
【図１Ｃ】本発明に係る方法の第１の実施形態の異なる段階を示す、伸縮式タワーの概略正面図を示している。
【図１Ｄ】本発明に係る方法の第１の実施形態の異なる段階を示す、伸縮式タワーの概略正面図を示している。
【図２Ａ】本発明に係る方法の第２の実施形態の異なる段階を示す、伸縮式タワーの概略正面図を示している。
【図２Ｂ】本発明に係る方法の第２の実施形態の異なる段階を示す、伸縮式タワーの概略正面図を示している。
【図２Ｃ】本発明に係る方法の第２の実施形態の異なる段階を示す、伸縮式タワーの概略正面図を示している。
【図２Ｄ】本発明に係る方法の第２の実施形態の異なる段階を示す、伸縮式タワーの概略正面図を示している。
【図３】図１Ａの細部の正面図を示している。
【図４】図２Ａの細部の正面図を示している。
【発明を実施するための形態】
【００１７】
これら、本発明の他の特徴及び利点は、添付図面を参照して、単に非限定例として示された本発明の実施形態に関する以下の説明から明らかになるであろう。
【００１８】
添付図面の図は、部分３００を除いて全て、中心垂直軸に対して対称的である。そのため、明確にするために、部分１４，１６，１８，２０，２２，２４及び２６は、単に前記中心垂直軸の一方の側を参照しており、前記中心垂直軸の他方の側に配置された同様の部分は、同じ参照符号を共用することを理解されたい。
【００１９】
図１Ａ，１Ｂ，１Ｃ，１Ｄ及び３を参照して、本発明に係る方法の第１の実施形態を実施する伸縮式タワー１００が図示されている。前記伸縮式タワー１００は、上部組立面２００を有する基礎と、ベース部分１０及び４つの重ね合わせ部分２，４，６，８と、風力タービン３００と、前記ベース部分１０の内部に固定された部分の支持構造４００とを備えている。
【００２０】
この実施形態において、中間の重ね合わせ部分４，６，８は全て、真っ直ぐな円筒形態と同じ長さとを有し、上部重ね合わせ部分２も、真っ直ぐな円筒形態を有しているが、中間の重ね合わせ部分４，６，８の長さよりも長い長さを有している。ベース部分１０は、主な下部に切頂円錐形状を有しており、残余の部分に真っ直ぐな円筒形態を有しており、前記ベース部分１０の全長は、前記上部重ね合わせ部分２の長さよりも長い。
【００２１】
さらに、この実施形態では、非限定的例として、タワー１００は、沖合のタワーであり、このため、図１Ａ，１Ｂ，１Ｃ，１Ｄ及び３は、水面線を示している。
【００２２】
より具体的には、前記部分２，４，６，８，１０を、前記ベース部分１０が前記組立面２００に置かれて垂直方向に配置されており、且つ、前記重ね合わせ部分２，４，６，８が前記ベース部分１０内に同軸で配置されている、初期位置に設けた後、前記重ね合わせ部分２，４，６，８を選択的に持ち上げることが可能な組立手段１４，１６，１８を設けた後、オペレータ支持手段２０を、前記ベース部分１０の上縁部と本質的に垂直方向で一致させて前記ベース部分１０の外表面に設けた後、全て図１Ａ及び図３の細部に示されるように、前記重ね合わせ部分２，４，６，８が持ち上げられる。
【００２３】
タワー１００が沖合のタワーであるこの実施形態では、前記オペレータ支持手段２０は、予想される最大海水面の上方に配置されていることが好ましい。
【００２４】
本発明の方法によれば、上部重ね合わせ部分２が、最初に持ち上げられて、その後に、重ね合わせ部分４が持ち上げられる。
【００２５】
具体的には、図１Ｂは、本発明のこの実施形態に係る方法の１つの段階を示しており、上部重ね合わせ部分２が、全体的に持ち上げられて重ね合わせ部分４に固定されており、前記重ね合わせ部分４が、全体的に持ち上げられており、接合部を、前記重ね合わせ部分４の下端部と前記重ね合わせ部分６の上端部との間に、前記重ね合わせ部分４に関して径方向外側で直に隣接して形成しており、前記接合部は、前記オペレータ支持手段２０と本質的に垂直方向に一致されて位置されている。
【００２６】
図１Ｃは、本発明のこの実施形態に係る方法の後の段階を示しており、上部重ね合わせ部分２が、全体的に持ち上げられて重ね合わせ部分４に固定されており、重ね合わせ部分４が、全体的に持ち上げられて重ね合わせ部分６に固定されており、重ね合わせ部分６が、全体的に持ち上げられており、接合部が、前記重ね合わせ部分６の下端部と重ね合わせ部分８の上端部との間に、前記重ね合わせ部分６に関して径方向外側で直に隣接して形成されており、前記接合部は、前記オペレータ支持手段２０と本質的に垂直方向に一致されて位置している。
【００２７】
最後に、図１Ｄは、本発明のこの実施形態に係る方法の後の段階を示しており、全ての重ね合わせ部分２，４，６，８が、全体的に持ち上げられて、外側で直に隣接した部分４，６，８，１０にそれぞれ固定されており、部分の支持手段４００は、空いたままである。本発明の実施形態に係るこの方法は、オペレータ支持手段２０を撤去する追加的なステップを含み、部分の支持手段４００を撤去するさらなる追加的なステップ及び／又は組立手段１４，１６，１８を撤去する追加的なステップをさらに含んでもよい。
【００２８】
図３に見られるように、この実施形態では、前記組立手段は、各重ね合わせ部分２，４，６，８に関して、前記重ね合わせ部分２，４，６，８のそれぞれの下端部と、径方向外側で直に隣接した部分４，６，８，１０の上端部とをそれぞれ接続する２つのケーブル１６と、前記ケーブル１６のそれぞれを各下端部に固定するための、各ケーブル１６の下端に配置された、ウェッジ及びウェッジを含むストッププレートのセットである制限手段１８と、この実施形態では、各ケーブル１６及び順にこの各下端部を上方に引っ張り上げるための、各ケーブル１６の上端に固定された、この実施形態ではジャッキであるけん引手段１４と、を含む。前記けん引手段１４は、（図示されるように）各ケーブル１６の上端にそれぞれ取り付けられた複数のジャッキを備えてもよく、又はケーブルよりも少数のジャッキを備えてもよく、使用可能なジャッキは、各ケーブル１６の上端に連続的に取り付けられている。これらの手段１４，１６，１８の基本的な概念は、例えば、前記文献、国際公開第２０１１／００６５２６（Ａ１）を通して、当該技術分野において周知であり、ここではさらに詳細に説明しなくてもよいであろう。
【００２９】
次に、図２Ａ，２Ｂ，２Ｃ，２Ｄ及び４を参照して、ここでは本発明に係る方法の第２の実施形態を実施する同じ伸縮式タワー１００が図示されている。そのため、前記伸縮式タワー１００は、上部組立面２００を有する基礎と、ベース部材１０及び４つの重ね合わせ部分２，４，６，８と、風力タービン３００と、前記ベース部分１０の内部に固定された部分の支持構造４００とを備えている。
【００３０】
この実施形態では、中間の重ね合わせ部分４，６，８は全て、真っ直ぐな円筒形態と、同じ長さとを有し、上部重ね合わせ部分２も真っ直ぐな円筒形態を有しているが、中間の重ね合わせ部分４，６，８の長さよりも長い長さを有している。ベース部分１０は、主な下部に切頂円錐形状を有しており、残余の部分に真っ直ぐな円筒形態を有し、前記ベース部分１０の全長は、前記上部重ね合わせ部分２の長さよりも長い。
【００３１】
さらに、この実施形態では、非限定例として、タワー１００は、沖合のタワーであり、このため、図２Ａ，２Ｂ，２Ｃ，２Ｄ及び４は、水面線を示している。
【００３２】
より具体的には、前記部分２，４，６，８，１０を、前記ベース部分１０が前記組立面２００に置かれて垂直方向に配置されており、且つ、前記重ね合わせ部分２，４，６，８が前記ベース部分１０内に同軸で配置されている、初期位置に設けた後、前記重ね合わせ部分２，４，６，８を選択的に持ち上げることが可能な組立手段１４，１６，１８を設けた後、オペレータ支持手段２０を、前記ベース部分１０の上縁部と本質的に垂直方向で一致させて前記ベース部分１０の外側面に設けた後、前記ベース部分１０の外側面に案内手段２２，２４，２６を設けた後、全て図２Ａ及び図４の細部に示されるように、前記重ね合わせ部分２，４，６，８が持ち上げられる。
【００３３】
タワー１００が沖合のタワーであるこの実施形態では、前記オペレータ支持手段２０は、予想される最大海水面の上方に配置されていることが好ましい。
【００３４】
本発明の方法によれば、上部重ね合わせ部分２が、最初に持ち上げられて、その後に、重ね合わせ部分４が持ち上げられる。
【００３５】
具体的には、図２Ｂは、本発明のこの実施形態に係る方法の１つの段階を示しており、上部重ね合わせ部分２が、全体的に持ち上げられて重ね合わせ部分４に固定されており、前記重ね合わせ部分４が、全体的に持ち上げられており、接合部が、前記重ね合わせ部分４の下端部と前記重ね合わせ部分６の上端部との間に、前記重ね合わせ部分４に関して径方向外側で直に隣接して形成されており、前記接合部は、前記オペレータ支持手段２０と本質的に垂直方向に一致されて位置している。
【００３６】
図２Ｃは、本発明のこの実施形態に係る方法の後の段階を示しており、上部重ね合わせ部分２が、全体的に持ち上げられて重ね合わせ部分４に固定されており、重ね合わせ部分４が、全体的に持ち上げられて重ね合わせ部分６に固定されており、重ね合わせ部分６が、全体的に持ち上げられており、接合部が、前記重ね合わせ部分６の下端部と重ね合わせ部分８の上端部との間に、前記重ね合わせ部分６に関して径方向外側で直に隣接して形成されており、前記接合部は、前記オペレータ支持手段２０と本質的に垂直方向に一致されて位置している。
【００３７】
最後に、図２Ｄは、本発明のこの実施形態に係る方法の後の段階を示しており、全ての重ね合わせ部分２，４，６，８が、全体的に持ち上げられて、外側で直に隣接した部分４，６，８，１０にそれぞれ固定されており、部分の支持手段４００は、空いたままである。本発明の実施形態に係るこの方法は、オペレータ支持手段２０を撤去する追加的なステップを含み、部分の支持手段４００を撤去するさらなる追加的なステップ及び／又は組立手段１４，１６，１８を撤去する追加的なステップをさらに含んでもよい。
【００３８】
図４に見られるように、前記組立手段は、各重ね合わせ部分２，４，６，８に関して、前記重ね合わせ部分２，４，６，８のそれぞれの下端部と、径方向外側で直に隣接した部分４，６，８，１０の上端部とをそれぞれ接続する２つのケーブル１６と、前記ケーブル１６のそれぞれを各下端部に固定するための、この実施形態では、ケーブル１６の下端に配置されたウェッジ及びウェッジを含むストッププレートである制限手段１８、と、各ケーブル１６及び順にこの各下端部を上方に引っ張り上げるための、各ケーブル１６の上端に固定された、この実施形態ではジャッキであるけん引手段１４と、を含む。前記けん引手段１４は、（図示されているように）各ケーブル１６の上端にそれぞれ取り付けられた複数のジャッキを備えてもよく、又はケーブルよりも少数のジャッキを備えてもよく、使用可能なジャッキは、各ケーブル１６の上端に連続的に取り付けられている。これらの手段１４，１６，１８の基本的な概念は、例えば、前記文献、国際公開第２０１１／００６５２６（Ａ１）を通して、当該技術分野において周知であり、ここではさらに詳細に説明しなくてもよいであろう。
【００３９】
また、図４に見られるように、前記案内手段は、垂直方向に配置されており、径方向で両側に位置しており、前記ベース部分１０の上縁部を越えて上方へ伸びるように前記ベース部分（１０）の外表面に下部で固定されている、この実施形態では格子梁である２つの固定部材２２と、前記ベース部分１０の上縁部の上方の位置に、前記梁２２の各１つからそれぞれ出現する、水平方向に配置された、この実施形態ではロッドである２つの緊張部材２４と、前記ロッド２４のそれぞれの自由端にそれぞれ配置された、本実施形態ではホイールである２つの変位要素２６と、を含む。前記ロッド２４は、持ち上げられている重ね合わせ部分２，４，６，８に前記ホイール２６を常に押し付けると共に所望の軌道にわたって当の部分を案内するように配置されている。
【００４０】
案内手段が、この実施形態の個別の構造体２２，２４，２６と同一か、又は技術的に等価である個別の構造体によって形成されている場合、好ましくは、前記構造体のうちの少なくとも３つが設けられ、好ましくは、前記構造体は、タワーのベース部分の周囲に沿って等間隔で分散して配置される。
【００４１】
本発明の原理を維持していれば、実施形態及び構造細部は、必然的に、このことにより、添付クレームに画定されるような本発明の範囲から逸脱することなく、単に非限定例として記載され及び図示されているものから大幅に変化してもよい。
【００４２】
具体的には、非限定的な例示として、前述の説明は、風力タービンを支持する伸縮式タワーに関してなされているが、本発明に係る方法は、このタイプのタワーに限定されない。
【００４３】
同様に、非限定的な例示として、前述の説明は、基礎の組立面に置かれた伸縮式タワーに関してなされているが、本発明に係る方法は、基礎に置かれたタワーに限定されない。
【００４４】
また、非限定的な例示として、前述の説明は、部分を、組立面から一定の距離において初期位置に維持する部分の支持手段を備えている伸縮式タワーに関してなされているが、本発明に係る方法では、部分又はそれらの一部は、初期位置において、組立面に直接置かれてもよい。上述した実施形態では、前記制限手段１８（ケーブル１６内に配置されたウェッジ及びウェッジを含むストッププレート）を、各ケーブル１６の上端にしたがって配置でき、前記けん引手段１４（ケーブル１６の端に固定されたジャッキ）を、各ケーブル１６の下端にしたがって配置できる。それにもかかわらず、本発明に係る方法によれば、上述した実施形態では、前記けん引手段１４又は何らかの他の技術的に等価である手段の組立は、オペレータ支持手段２０内に収容されたオペレータが、前記けん引手段１４に直接にアクセスすることを可能にするように、前記ケーブル１６の上端において好適である。
【００４５】
最後に、また非限定的な例示として、前述の説明は、ケーブル及びジャッキを含む組立手段を備えている伸縮式タワーに関してなされているが、本発明に係る方法は、このタイプのタワーに限定されない。例えば、組立手段は、本発明の方法に従って、組立面に置かれて各重ね合わせ部分を単に押すプッシュジャッキ手段を含んでもよく、又は組立手段は、タワーの中心のラックタレット（rack turret）と、本発明の方法に従って、ラックタレットの対応するラックにわたって移動して、各重ね合わせ部分を単に押す、少なくとも１つのピニオンと、を含んでもよい。
【図１Ａ】
2015500931.tif 000003
【図１Ｂ】
2015500931.tif 000004
【図１Ｃ】
2015500931.tif 000005
【図１Ｄ】
2015500931.tif 000006
【図２Ａ】
2015500931.tif 000007
【図２Ｂ】
2015500931.tif 000008
【図２Ｃ】
2015500931.tif 000009
【図２Ｄ】
2015500931.tif 000010
【図３】
2015500931.tif 000011
【図４】
2015500931.tif 000012
【国際調査報告】
2015500931.tif 000013
2015500931.tif 000014